(57)【要約】【課題】電柱付近に設置される接地線の防護に用いられる既存の合成樹脂管の保守方法に関し、既存合成樹脂管の破損部位のみの補修や地上高不足部位のみの継足しを容易に行うことが可能な既存合成樹脂管の保守方法を提供する。【解決手段】既存の合成樹脂管３と略同径の内径及び可撓性を有し長さ方向に切込み１１が形成された保守管１０を所定箇所に嵌込むことにより、既存合成樹脂管３の保守を行う。【選択図】図３
2007174717.tif 000002
【特許請求の範囲】
【請求項１】
電柱付近に設置される接地線の防護に用いられる既存の合成樹脂管に対し、既存の合成樹脂管と略同径の内径及び可撓性を有し長さ方向に切込みが形成された保守管を所定箇所に嵌込むことにより、既存合成樹脂管の保守を行うことを特徴とする既存合成樹脂管の保守方法。
【請求項２】
請求項１に記載の既存合成樹脂管の保守方法において、所定箇所は合成樹脂管上部の継足し部位であり、継足し長さに重なり部を加えた長さの保守管を既存合成樹脂管の上部に嵌込むことにより、既存合成樹脂管の保守を行うことを特徴とする既存合成樹脂管の保守方法。
【請求項３】
請求項２に記載の既存合成樹脂管の保守方法において、重なり部の長さが継足し長さの五分の一以上である保守管を用いて既存合成樹脂管の保守を行うことを特徴とする既存合成樹脂管の保守方法。
【請求項４】
請求項２又は３に記載の既存合成樹脂管の保守方法において、電柱と対向する面が扁平である継足し部を有する保守管を用いて既存合成樹脂管の保守を行うことを特徴とする既存合成樹脂管の保守方法。
【請求項５】
請求項１に記載の既存合成樹脂管の保守方法において、所定箇所は破損部位であり、保守管を用いて破損部位を覆うことにより、既存合成樹脂管の保守を行うことを特徴とする既存合成樹脂管の保守方法。
【請求項６】
請求項１〜５の何れかに記載の既存合成樹脂管の保守方法において、切込みが半径方向に対し肉厚部で傾斜している保守管を用いて既存合成樹脂の保守を行うことを特徴とする既存合成樹脂管の保守方法。
【請求項７】
請求項１〜６の何れかに記載の既存合成樹脂管の保守方法において、複数個所に破線状の切込みが周方向に設けられた破断部を備えた保守管群を、破断部で破断して保守管とし、破断された保守管を用いて既存合成樹脂の保守を行うことを特徴とする既存合成樹脂管の保守方法。
【請求項８】
請求項１〜７の何れかに記載の既存合成樹脂管の保守方法において、樹脂からなる保守管を用いて既存合成樹脂の保守を行うことを特徴とする既存合成樹脂管の保守方法。
【請求項９】
請求項８に記載の既存合成樹脂管の保守方法において、塩化ビニルからなる保守管を用いて既存合成樹脂の保守を行うことを特徴とする既存合成樹脂管の保守方法。
【請求項１０】
請求項１〜９の何れかに記載の既存合成樹脂管の保守方法において、既存合成樹脂管と同色の保守管を用いて既存合成樹脂の保守を行うことを特徴とする既存合成樹脂管の保守方法。
【請求項１１】
請求項１〜１０の何れかに記載の既存合成樹脂管の保守方法において、保守管を接着剤或いはステンレスバンドにより固定して既存合成樹脂の保守を行うことを特徴とする既存合成樹脂管の保守方法。
【発明の詳細な説明】
【技術分野】
【０００１】
本発明は電柱付近に設置される接地線を防護する合成樹脂管の補修や継足しに有用な既存合成樹脂管の保守方法に関する。
【背景技術】
【０００２】
電柱付近に設置されている接地線を覆う合成樹脂管は、破損した場合や設置後に地上に出ている部分の長さが足りなくなった地上高不足の場合には補修或いは継足しなどの保守作業を行う必要がある。これまで破損や地上高不足の場合、合成樹脂管の取替えを行っていたが、取替え作業は誰でも簡単に行える作業では無く、別途作業員を派遣する必要がある場合もあり、保守作業には時間、手間、費用等を要していた。
【０００３】
そこで取替え作業を容易にするため、柔軟性を有し切込みが設けられ取付けが容易な接地線被服体が考案された（特許文献１参照）。
【０００４】
しかし、この様な接地線被服体は、取付けは容易であるが、破損部位のみの補修や地上高不足部位のみの継足しといった用途は考慮されていなかった。
【０００５】
【特許文献１】実開平５−１１３３１号公報
【発明の開示】
【発明が解決しようとする課題】
【０００６】
本発明は上記の課題に鑑み、電柱付近に設置される接地線の防護に用いられる既存の合成樹脂管の破損部位のみの補修や地上高不足部位のみの継足しを容易に行うことが可能な既存合成樹脂管の保守方法を提供することを目的とする。
【課題を解決するための手段】
【０００７】
上記課題を解決する本発明の第１の態様は、電柱付近に設置される接地線の防護に用いられる既存の合成樹脂管に対し、既存の合成樹脂管と略同径の内径及び可撓性を有し長さ方向に切込みが形成された保守管を所定箇所に嵌込むことにより、既存合成樹脂管の保守を行うことを特徴とする既存合成樹脂管の保守方法にある。
【０００８】
かかる第１の態様では、保守管に切込みが設けられているため、切込み部分を容易に開いて保守管を取付けることができる。したがって、接地線を切断して既存の合成樹脂管から接地線を抜き取り、新規の保守管に挿入するという手間を要することが無い。また、外径と内径が一緒であるため、保守管を合成樹脂管に嵌込むだけで所望の場所に保持されるので、必要な箇所のみを短時間で簡単に保守することが可能となる。
【０００９】
本発明の第２の態様は、第１の態様に記載の既存合成樹脂管の保守方法において、所定箇所は合成樹脂管上部の継足し部位であり、継足し長さに重なり部を加えた長さの保守管を既存合成樹脂管の上部に嵌込むことにより、既存合成樹脂管の保守を行うことを特徴とする既存合成樹脂管の保守方法にある。
【００１０】
かかる第２の態様では、既存合成樹脂管の上部に保守管を継足すことにより合成樹脂管を取替えることなく簡単に地上高不足分を補うことができる。
【００１１】
本発明の第３の態様は、第２の態様に記載の既存合成樹脂管の保守方法において、重なり部の長さが継足し長さの五分の一以上である保守管を用いて既存合成樹脂管の保守を行うことを特徴とする既存合成樹脂管の保守方法にある。
【００１２】
かかる第３の態様では、保守管の継足し長さの五分の一以上を占める既存合成樹脂管との重なり部を有することにより、保守管と既存合成樹脂管との十分な接触面積が得られ、保守管を確実に既存合成樹脂管に設置することができる。
【００１３】
本発明の第４の態様は、第２又は３の態様に記載の既存合成樹脂管の保守方法において、電柱と対向する面が扁平である継足し部を有する保守管を用いて既存合成樹脂管の保守を行うことを特徴とする既存合成樹脂管の保守方法にある。
【００１４】
かかる第４の態様では、電柱と対向する面が扁平である継足し部を有する保守管を用いるため、円形から楕円状に変形が生じている既存の合成樹脂管にも対応が可能となり、またより電柱に沿いやすい状態で保守管を設置することが可能となる。
【００１５】
本発明の第５の態様は、第１の態様に記載の既存合成樹脂管の保守方法において、所定箇所は破損部位であり、保守管を用いて破損部位を覆うことにより、既存合成樹脂管の保守を行うことを特徴とする既存合成樹脂管の保守方法にある。
【００１６】
かかる第５の態様では、破損した既存合成樹脂管を取替えること無く破損部位のみを部分的に保守管を用いて補修することができる。
【００１７】
本発明の第６の態様は、第１〜５の何れかの態様に記載の既存合成樹脂管の保守方法において、切込みが半径方向に対し肉厚部で傾斜している保守管を用いて既存合成樹脂の保守を行うことを特徴とする既存合成樹脂管の保守方法にある。
【００１８】
かかる第５の態様では、既存合成樹脂管が多少変形し保守管の形状と合わない場合においても、保守管の切込みが半径方向に対し斜めに設けられているため、設置後に切込み部分に隙間ができ難く、より防護効果を高めることができる。
【００１９】
本発明の第７の態様は、第１〜６の何れかの態様に記載の既存合成樹脂管の保守方法において、複数個所に破線状の切込みが周方向に設けられた破断部を備えた保守管群を、破断部で破断して保守管とし、破断された保守管を用いて既存合成樹脂の保守を行うことを特徴とする既存合成樹脂管の保守方法にある。
【００２０】
かかる第７の態様では、保守時に容易に必要な長さに保守管を切離して使用することができるため、保守管を無駄無く使用することができる。
【００２１】
本発明の第８の態様は、第１〜７の何れかの態様に記載の既存合成樹脂管の保守方法において、樹脂からなる保守管を用いて既存合成樹脂の保守を行うことを特徴とする既存合成樹脂管の保守方法にある。
【００２２】
かかる第８の態様では、安価で容易に入手可能であり取扱いも簡単な樹脂からなる保守管を用いて既存合成樹脂管の保守を行うことができる。
【００２３】
本発明の第９の態様は、第８の態様に記載の既存合成樹脂管の保守方法において、塩化ビニルからなる保守管を用いて既存合成樹脂の保守を行うことを特徴とする既存合成樹脂管の保守方法にある。
【００２４】
かかる第９の態様では、安価で簡単に入手可能であり取扱いも簡単な塩化ビニルからなる保守管を用いて既存合成樹脂管の保守を行うことができる。
【００２５】
本発明の第１０の態様は、第１〜９の何れかの態様に記載の既存合成樹脂管の保守方法において、既存合成樹脂管と同色の保守管を用いて既存合成樹脂の保守を行うことを特徴とする既存合成樹脂管の保守方法にある。
【００２６】
かかる第１０の態様では、既存合成樹脂管と同色の保守管を用いて補修や継足しを行うことにより、保守管のみが目立つことなく視覚的に違和感を与えずに既存合成樹脂管の保守を行うことができる。
【００２７】
本発明の第１１の態様は、第１〜１０の何れかの態様に記載の既存合成樹脂管の保守方法において、保守管を接着剤或いはステンレスバンドにより固定して既存合成樹脂の保守を行うことを特徴とする既存合成樹脂管の保守方法にある。
【００２８】
かかる第１１の態様では、保守管を接着剤或いはステンレスバンドにより固定することで保守管を既存合成樹脂管により確実に設置することが可能となる。
【発明の効果】
【００２９】
本発明によれば、電柱付近に設置される接地線の防護に用いられる既存の合成樹脂管が破損した場合または地上高が不足した場合において、既存合成樹脂管と略同径の内径及び可撓性を有し長さ方向に切込みが形成された保守管を用い、所望の箇所のみに対し嵌込むようにして補修或いは継足しを行うので、既存合成樹脂管を取替える事無く、容易に短時間で部分的な保守を行うことが可能となる。
【発明を実施するための最良の形態】
【００３０】
以下、本発明の実施形態を図１〜図６に基づき説明する。
【００３１】
図１に電柱付近に設置され合成樹脂管により防護された接地線の側面図、図２に保守を要する既存合成樹脂管および保守管の側面図、図３に保守管を既存合成樹脂管に設置し既存合成樹脂管の補修及び継足しを行った状態の側面図、図４に断面が円形状である保守管の概要図、図５に断面が楕円形状である保守管の概要図、図６に複数個所に破線状の切込みが周方向に設けられた破断部を備えた保守管群の概要図を示す。
【００３２】
図１に示すように、接地線１が電柱２の付近に設置されている。本実施形態における接地線１は地下７５ｃｍから地上高２ｍまでを２ｍｍ以上の厚さを有する合成樹脂管３により防護する必要があるものである。
【００３３】
図２に示すように、接地線１を防護する合成樹脂管３が破損したり、工事などにより盛り土をして地表面が上昇し、既存合成樹脂管３の地上高が相対的に低くなり、地上高が不足したりした場合には、補修や継足しなどの保守が必要となる。そこで保守管１０が既存合成樹脂管３の補修や継足しに適用される。保守管１０は既存合成樹脂管３と略同径の内径及び可撓性を有し、径方向の外径から内径まで、長さ方向の両端まで達する切込み１１が設けられたものである。保守管１０は可撓性を有するため、保守管１０の切込み１１を広げ、接地線１に保守管１０を配し、広げた切込み１１を元に戻すだけで接地線１に保守管１０を設置することができる。したがって、接地線１側を切って合成樹脂管３に挿入し直し交換を行う等の面倒な作業を行う必要が無く、短時間で容易に保守作業を行うことができる。保守管１０には塩化ビニルやその他樹脂など、切込み１１を接地線１より広い幅に広げても割れず、安価で容易に入手可能であり、既存合成樹脂管３と同程度以上の絶縁効力を有する材料が用いられる。既存合成樹脂管３の破損した部分を保守管１０で覆うことで、破損部位５において露出した接地線１を防護することが可能となる。また、工事による地表面４の上昇などにより地上高が不足した既存合成樹脂管３においては、合成樹脂管３の上部と保守管１０が重なるように既存合成樹脂管３に保守管１０を被せることにより不足した地上高を保守管１０により補い、地上高２ｍを保って接地線１を防護することが可能となる。合成樹脂管３と保守管１０の重なり部分を継足し部１２とし、継足し部１２の長さは地上高不足分の五分の一以上が望ましい。
【００３４】
図３のように、保守管１０を用いた保守作業が行われ、接地線１が再び防護される。本実施形態例においては、確実に保守管１０を固定するため、既存合成樹脂管３の破損部位５及び接地線１の露出部分に接着剤を用いて保守管１０を密着させ、継足し部分にステンレスバンド８を用いて電柱２とともに保守管１０を結束している。ステンレスバンド８を使用する位置は特に限定されない。また、保守管１０の固定をより確実にする必要では無い場合はステンレスバンド８や接着剤は使用する必要は無い。
【００３５】
図４〜６に基づいて保守管の詳細を説明する。図４（ａ）及び図５（ａ）は保守管の径方向の断面図である。図４（ｂ）及び図５（ｂ）は保守管の斜視図である。図４（ｃ）は保守管の切込みを広げた状態の斜視図である。図６は複数個所に破線状の切込みが周方向に設けられた破断部を備えた保守管の概要図である。
【００３６】
保守管１０は前述の通り既存合成樹脂管３と略同径の内径及び可撓性を有し、径方向の外径から内径まで、長さ方向の両端まで達する切込み１１が設けられている。本実施形態における保守管１０は切込みが半径方向に対し肉厚部で傾斜したものである。これにより既存合成樹脂管３が多少変形し保守管１０の形状と合わない場合においても、保守管１０の切込み１１が半径方向に対し斜めに設けられているため、設置後に切込み部分に隙間ができ難く、より防護効果を高めることができる。
【００３７】
既存合成樹脂管３の断面は通常円形状であるため、保守管も図４に示すように断面が円形状のものが主に使用される。しかし外部からの衝撃により接地線１及び既存合成樹脂管３が潰れてしまう場合がある。既存合成樹脂管３が潰れてしまった場合においても、保守管１０の斜めに設けられた切込み１１により、切り口の隙間はでき難くなっているが、潰れた既存合成樹脂管３をより容易且つ確実に防護する場合には、図５のように、断面が楕円形状の保守管２０が用いられる。潰れた既存合成樹脂管３に対しては円形の断面形状を有する保守管よりも楕円形状の断面を有する保守管２０の方がより多くの接触面積で既存合成樹脂管３に嵌込むことが可能であり、また切込み部分の隙間も少なくすることが可能となる。また、楕円形状の断面を有する保守管２０は、ステンレスバンド８を用いる際には、電柱２に沿いやすい形状のため電柱２に沿わせた固定が容易である。
【００３８】
図６に、複数個所に破線状の切込みが周方向に設けられた破断部３２を備えた保守管群３０を示す。保守管群３０に設けられた破断部３２を保守作業の現場で保守に必要な長さに合わせて折ることにより、容易に必要な長さに切離して保守管を使用することができる。したがって、保守管を無駄無く使用することができる。
【００３９】
保守管及び保守管群３０の色は特に限定されないが、既存合成樹脂管３または電柱２と同色が望ましい。保守管及び保守管群３０が既存合成樹脂管３または電柱２と同色であることにより、保守管のみが目立つことなく、視覚的に違和感を与えずに既存合成樹脂管３の保守を行うことができる。
【図面の簡単な説明】
【００４０】
【図１】電柱付近に設置され合成樹脂管により防護された接地線の側面図である。
【図２】保守を要する既存合成樹脂管および保守管の側面図である。
【図３】保守管を既存合成樹脂管に設置し既存合成樹脂管の補修及び継足しを行った状態の側面図である。
【図４】断面が円形状である保守管の概要図である。
【図５】断面が楕円形状である保守管の概要図である。
【図６】複数個所に破線状の切込みが周方向に設けられた破断部を備えた保守管群の概要図である。
【符号の説明】
【００４１】
１    接地線
２    電柱
３    合成樹脂管
４    地表面
５    破損部位
６    旧地表面
７    地上高不足部位
８    ステンレスバンド
１０、２０    保守管
１１、２１、３１    切込み
１２  継足し部
３０  保守管群
３２  破断部
【図１】
2007174717.tif 000003
【図２】
2007174717.tif 000004
【図３】
2007174717.tif 000005
【図４】
2007174717.tif 000006
【図５】
2007174717.tif 000007
【図６】
2007174717.tif 000008